(57)【特許請求の範囲】
【請求項１】
第２のパイプ部分の差し込み端部（２）を収容するために適応されるソケット端部（１）が設けられたパイプ部分であって、前記差し込み端部（２）の外側には、密閉リング（５）が設けられ、
前記ソケット端部（１）の内側は、前記ソケット端部（１）の端縁（１１）から見て、斜めにテーパー状をした部分（１３）を備えており、当該テーパー状をした部分（１３）は、前記ソケット端部（１）の内側の円周に沿って延び、かつ、前記差し込み端部（２）が前記ソケット端部（１）に差し込まれたときに、前記密閉リング（５）を変形させるために、前記ソケット端部（１）の中心軸線（１２）に向かって斜めにテーパー状をしており、
前記ソケット端部（１）の内側は、前記斜めにテーパー状をした部分（１３）よりも前記端縁（１１）から内側で、かつ、当該斜めにテーパー状をした部分（１３）に隣接する円筒形部（１４）を有し、
前記斜めにテーパー状をした部分（１３）は、当該斜めにテーパー状をした部分（１３）の円周上に規則的に配置された少なくとも２つの領域（１５）を有し、前記各領域（１５）は、円周方向に見たとき、中央（１８）及び側部（１６、１７）を有し、
前記領域（１５）の前記各側部（１６、１７）に沿って、前記斜めにテーパー状をした部分（１３）は、前記ソケット端部（１）の中心軸線（１２）に対して第１の角度（α１）であり、
前記領域（１５）の前記中央（１８）は、少なくとも部分的に、前記ソケット端部の前記中心軸（１２）に対して第２の角度（α２）であり、
前記第２の角度（α２）は、前記第１の角度（α１）より小さく、
隣接する前記端縁（１１）に位置する部分（１９）であって、前記各側部（１６、１７）と各領域（１５）の中央（１８）との間に延びる部分（１９）では、前記斜めにテーパー状をした部分（１３）が、前記第１の角度（α１）で配置されており、
隣接した部分（２０）であって、前記ソケット端部の前記円筒形部（１４）の側部上の前記部分（１９）に隣接する部分（２０）では、前記斜めにテーパー状をした部分（１３）が、前記第２の角度（α２）で配置されており、
前記第２の角度（α２）で配置された隣接した部分（２０）の軸方向の長さは、前記各側部（１６、１７）から前記領域（１５）の中央（１８）に向かって徐々に長くなることを特徴とするパイプ部分。
【請求項２】
前記隣接した部分（２０）は、前記領域（１５）の前記中央（１８）で、前記ソケット端部（１）の自由縁（１１）に隣接する請求項１に記載のパイプ部分（図７）。
【請求項３】
前記斜めにテーパー状をした部分（１３）は、円周方向に見たとき、隣接する領域（１５）の間に位置する領域（２１）では、前記中心軸（１２）に対して前記第１の角度（α１）である請求項１又は２に記載のパイプ部分（図３）。
【発明の詳細な説明】
【技術分野】
【０００１】
本発明は、ソケット端部を設けたパイプ部分に関し、当該ソケット端部は、第２のパイプ部分の差し込み端部を収容することを目的とし、差し込み端部の外側には、密閉リングが設けられ、端縁から見て、ソケット端部の内側には、ソケット端部の中心軸線に向かって斜めにテーパー状をした部分が具えられ、このテーパー状をした部分は、差し込み端部および隣接する円筒形部をソケット端部内に差し込んだときに、密閉リングを撓ませることを目的とし、ソケット端部の、中心軸線に向かって斜めにテーパー状をした部分は、円周において規則的に配置された少なくとも２つの領域を有し、当該領域において、斜めにテーパー状をした部分の角度は、円周方向にソケット端部の中心軸線に対して変化し、この変化は、各領域において、その領域の側部に沿って、円周方向に見て斜めにテーパー状をした部分が、ソケット端部の中心軸線に対して第１の角度であり、その領域の中央において、少なくとも部分的に、ソケット端部の中心軸線に対して第１の角度より小さい第２の角度になるように起こる。
【背景技術】
【０００２】
このタイプのパイプ部分は、米国特許第３,８３１,９５４号明細書、特に図８および図１０から知られている。
【０００３】
斜めにテーパー状をした部分がパイプ部分の中心軸線に直角の面と平行に延びる周知のパイプ部分には、欠点がある。その欠点は、密閉リングを設けた差し込み端部をソケット端部内に挿入するときに、多くの場合、挿入力が大きくなることが考えられることであり、これは望ましくない。挿入力が大きくなることは、差し込み端部を挿入するときに、密閉リングが同時に円周全体に渡って撓んでしまうことにより生じ、一般に、密閉リングの外径を小さくする必要がある。米国特許第３,８３１,９５４号明細書（図８〜図１０）は、この問題に対して２つの解決方法を提案する。第１の解決法（図９）では、斜めにテーパー状をした部分の軸方向の位置をソケット端部の円周において変化させる。斜めにテーパー状をした部分を軸方向に波形にする。第２の解決方法（図１０）では、ピッチを変更して、ソケット端部の円周において斜めにテーパー状をした部分の長さも変化させることである。
【発明の開示】
【発明が解決しようとする課題】
【０００４】
本発明の目的は、上の導入部において述べたタイプの改良されたパイプ部分を提供することである。
【課題を解決するための手段】
【０００５】
この目的は、請求項１に記載の発明によって達成される。
【発明の効果】
【０００６】
本発明に係る方法によって、差し込み端部をソケット端部内へ挿入するのに要する挿入力は、さらに低くなる。その上、米国特許第３,８３１,９５４号明細書の図８〜図１０に係るソケット端部を有するパイプ部分の場合におけるよりも単純なダイを使用して、パイプ部分を製造し得る。
【発明を実施するための最良の形態】
【０００７】
本発明に係るパイプ部分の好ましい実施形態をサブクレームに定める。
【０００８】
図面を参照して、いくつかの例示的な実施形態により、本発明をさらに詳細に以下に説明する。
【０００９】
図１に、本発明に係る第１のパイプ部分のソケット端部１と、関連の差し込み端部２との特定の実施形態の長手方向の図を示し、差し込み端部２は、第１のパイプ部分と第２のパイプ部分とをパイプ連結するために、ソケット端部１内に挿入する必要がある。
【００１０】
ここに示す実施形態では、差し込み端部２は、比較的薄い壁３を有するパイプ部分の端部であり、薄い壁３には、外側に外周リブ４が設けられる。密閉リング５が、２つのリブ４同士の間に配置される。しかしながら、差し込み端部はまた、別の形状でもよく、例えば、厚い壁を具えるように設計してもよく、この場合、密閉リングは、壁の外周側に配置された溝に配置される。
【００１１】
端縁１１から見たソケット端部１の内側に、ソケット端部１の中心軸線１２に向かって斜めにテーパー状をした部分１３を有し、その目的は、差し込み端部２をソケット端部１内に差し込み、隣接する円筒形部１４を有するときに密閉リング５の外径を小さくすることである。
【００１２】
ソケット端部１の斜めにテーパー状をした部分１３は、円周上に等間隔に配置された少なくとも２つの領域１５を有し、これらの領域１５では、斜めにテーパー状をした部分１３の角度がソケット端部１の中心軸線１２に対して円周方向に変化する。各領域１５において、領域１５の側部１６および１７に沿って、斜めにテーパー状をした部分１３は、円周方向に見ると、ソケット端部１の中心軸線１２に対して第１の角度α１であり（図４を参照）、領域１５の中央１８では、少なくとも部分的に、ソケット端部１の中心軸線１２に対して第１の角度αより狭い第２の角度α２である（図７を参照）。ここに示す実施形態では、斜めにテーパー状をした部分は、各領域１５の中央１８では、ソケット端部１の中心軸線１２に対して第２の角度α２である。
【００１３】
側部１６および１７と、各領域１５の中央１８との間において、斜めにテーパー状をした部分が、中心軸線１２に対して、第１の角度α１でソケット端部１の端縁１１の側に配置された部分１９と、第２の角度α２でソケット端部１の円筒形部１４の側に配置された隣接した部分２０とにある（図５および図６を参照）。この場合、第２の角度α２の部分２０の軸方向の長さｌは、側部１６および１７から領域１５の中央１８に向かって徐々に長くなる。
【００１４】
別の角度の領域１５同士の間に、斜めにテーパー状をした部分が、中心軸線１２に対して第１の角度α１である領域２１がある。
【００１５】
ソケット端部１（図２を参照）の領域１５の寸法について以下のことが成り立つ。上述の角度α１および角度α２の構成を有する端縁１１の場所におけるソケット端部１の円筒形部１４の内径をＤ１、斜めにテーパー状をした部分１３の内径をＤ２とした場合、端縁１１の場所における角度α２の部分の半径をＲ１とする。半径Ｒ１は、ソケット端部の中心軸線１２から距離Ｒ２の箇所から始まる。この場合、以下のことが成り立つ。
−ソケット端部の端縁１１において、Ｒ１＝（０．２５〜０．５）Ｄ１、好ましくは（０．３〜０．３５）Ｄ１、
−α１＝（０．３〜０．５）α２、
−Ｒ１＋Ｒ２＝０．５Ｄ２、
−角度α１の領域２１は、ソケット端部の円周の３０％未満を占め（これは、Ｒ１の選択により異なることは、明らかである）、
−好ましくは、斜めにテーパー状をした部分１３から円筒形部１４にかけて、３ｍｍから１０ｍｍの半径の丸みが設けられる。
【００１６】
上述のソケット端部を使用することによって、差し込み端部２を挿入するとき、密閉リング５が、断面において変形することになり、ここに示した実施形態では、関連の所定の力が時間の経過に伴って分散されてかかる結果として、密閉リング５の外径は、断面において小さくなって、所定の挿入力が低減され得る。
【００１７】
ソケット端部１は、添付の特許請求の範囲内のままで、上述のものと異なる設計にしてもよい。
【図面の簡単な説明】
【００１８】
【図１】本発明に係るパイプ部分のソケット端部と、第２のパイプ部分の関連の差し込み端部との特定の実施形態の長手方向における図である。
【図２】図１で矢印ＩＩの方向に見た、図１のソケット端部の上端部を示す図である。
【図３】図２のＩＩＩ−ＩＩＩ線に沿って長手方向に見た、図１のソケット端部を示す図である。
【図４】図１のソケット端部の壁端部の、図２のＩＶ−ＩＶ線に沿った長手方向の断面を示す図である。
【図５】図１のソケット端部の壁端部の、図２のＶ−Ｖ線に沿った長手方向の断面を示す図である。
【図６】図１のソケット端部の壁端部の、図２のＶＩ−ＶＩ線に沿った長手方向の断面を示す図である。
【図７】図１のソケット端部の壁端部の、図２のＶＩＩ−ＶＩＩ線に沿った長手方向の断面を示す図である。
【図１】
0004785853.tif 000002
【図２】
0004785853.tif 000003
【図３】
0004785853.tif 000004
【図４】
0004785853.tif 000005
【図５】
0004785853.tif 000006
【図６】
0004785853.tif 000007
【図７】
0004785853.tif 000008